(57)【特許請求の範囲】
【請求項１】
先端と、該先端から徐々に太くなるテーパー部と、該テーパー部に続く胴部と、該胴部に続く基端部と、該基端部に形成され基端部の長さ方向に形成された糸保持部と、を有する縫合針と、該糸保持部に挿入された状態で前記糸保持部の外側をかしめることで固定されている縫合糸と、からなる針付縫合糸において、前記縫合糸がｅＰＴＦＥのモノフィラメントでフィブリル化した多孔質の素材からなり、前記糸保持部に挿入する部分が、該糸保持部に挿入しない部分であって縫合糸の径を有する縫合糸本体部分と比較して空隙率が小さく、均一な太さで、かつ、組織の流れが前記縫合糸本体部分と同じである細径部の一部又は全部を含み、前記縫合糸本体部分と前記細径部の間に移行部を有するとともに、前記縫合針の基端部の基端面から前記縫合糸本体部分の径に至る部分の長さが前記縫合糸本体部分の径より小さいことを特徴とする針付縫合糸。
【請求項２】
縫合針の基端部に、基端部の長さ方向に沿って糸保持部を形成する工程と、ｅＰＴＦＥのモノフィラメントでフィブリル化して多孔質になっている縫合糸の端部の径方向に３以上の方向から同時に圧力を加えて細径部を形成する工程と、該細径部を前記糸保持部に挿入してかしめる工程とを有することを特徴とする針付縫合糸の製造方法。
【請求項３】
縫合針の基端部に、基端部の長さ方向に沿って糸保持部を形成する工程と、ｅＰＴＦＥのモノフィラメントでフィブリル化して多孔質になっている縫合糸の端部を中空部材の中空部に挿入し、該中空部を縮径させることによって細径部を形成する工程と、該細径部を前記糸保持部に挿入してかしめる工程とを有することを特徴とする、請求項２に記載の針付縫合糸の製造方法。
【発明の詳細な説明】
【技術分野】
【０００１】
本発明は針付縫合糸に関し、特に、ｅＰＴＦＥ繊維を縫合糸に使用した針付縫合糸とその製造方法とに関する。
【背景技術】
【０００２】
縫合針の基端部に、軸方向に沿った止まり穴、もしくは長手方向に切れ目を設けたチャネル式接合部等の糸保持部を設けたアイレス縫合針の糸保持部に縫合糸の一端を挿入してかしめた縫合糸付きの縫合針（針付縫合糸）は従来から使用されている。
【０００３】
一般に、縫合針や縫合糸が、生体組織を通過する際の抵抗力が大きいと、それだけ患者への負担が増加する。そこで、縫合針の刺通抵抗を低下させるために縫合針にポリテトラフルオロエチレン（ＰＴＦＥ）を塗布することが行われている（たとえば特許文献１、請求項３７参照）。
【０００４】
一方、縫合糸については、その抵抗を低下させるため、延伸したポリテトラフルオロエチレン（ｅＰＴＦＥ）のモノフィラメントの繊維を使用することが提案されている（例えば特許文献２）。
【０００５】
ｅＰＴＦＥの繊維とは、ＰＴＦＥを急速に引き伸ばし（expand）、表面に無数の亀裂を生じさせた繊維で、無数の亀裂ができることをフィブリル化という。ｅＰＴＦＥは、引き伸ばされ、フィブリル化したことにより多孔質で、柔らかい材料となる。そして、ＰＴＦＥの優れた性質を引き継ぎ、生体組織との親和性に優れ、異物反応が少なく、毒性・発がん性の心配がないなどの特徴があり、生体内では劣化、変質することもない。これらの特徴から、縫合糸に適した素材である。
【先行技術文献】
【特許文献】
【０００６】
【特許文献１】特開２００８−２６４５４７号
【特許文献２】特開２００５−２２５３号
【発明の概要】
【発明が解決しようとする課題】
【０００７】
一般に、アイレス縫合針は、針径と縫合糸の糸径とを比較すると、針径の方が大きくなる。これは、針の基端面に形成された穴に縫合糸を入れてかしめるという構造から、半ば必然的な理由による。
【０００８】
しかしながら、針径の方が太く、縫合糸が細いと、縫合針が刺通した生体組織の穴を縫合糸が通過するとき縫合糸の周辺に隙間ができ、出血量が増加するという問題が起こる。そのため、縫合糸の直径は、縫合針の針径に近いことが望ましく、同じ程度になることがさらに望ましい。特に、心臓外科では、出血の影響を大きく受けるので、この要請が強い。
【０００９】
針径と縫合糸の径を同程度の大きさにするには、針径と同程度の太さの縫合糸を使用し、その端部だけを細くして、縫合針の基端の糸保持部に挿入できる太さにすればよい。
【００１０】
ポリプロピレンなどのモノフィラメント縫合糸の場合、針径とほぼ同じ太さの縫合糸の端部を高温に加熱し、加熱された部分を延伸して、延伸された部分の直径を小さくすることができる。こうしてできた直径の小さい末端部分を縫合針の穴に差し込み、かしめることで、針径とほぼ同じ太さの縫合糸を有する縫合針を製造することができる。
【００１１】
しかし、この延伸法をｅＰＴＦＥのモノフィラメント縫合糸に適用しても、延伸された部分の気孔率が高くなるだけで、断面積の減少率は僅かである。延伸倍率を高めると、延伸部分が破断しやすくなる。しかも、延伸により気孔率が大きくなった端部は、外科用針の基端面に明けられた穴に挿入しても、柔らかすぎて、かしめても強固に接合することができない。
【００１２】
この問題に対し、特許文献２では、ｅＰＴＦＥのモノフィラメント縫合糸の端部に捩りを加え、ねじり変形により細径化する方法を提案している。
【００１３】
しかし、特許文献２のねじり変形による方法は、単にねじるだけでは、細径状態を保持することができないので、加熱することで、細径状態を固定している。また、細径部の高い引張強度と弾性率を維持するために、ねじり変形を加える部分にＰＴＦＥの引張弾性率（常温での測定値）よりも高い引張弾性率を有する合成樹脂を塗布または含浸させてから、ねじり変形を加えることにしている。そのため、細径化するのに非常に手間が掛かる、という問題がある。
【００１４】
また、ねじり変形を加える場合、ねじりを加えた部分全体に均一なねじりを加えることは困難であり、通常、先端部の捩りが最も強くなる。そして、先端部が最も細くなり、先端部から離れるにしたがって、ねじりが弱くなって、太さも増加する。そのため、細径部は均一の太さにならず、テーパー状になる。テーパー状の縫合糸を縫合針の基端面に形成された穴に挿入すると、穴の奥では縫合糸が細いので嵌合が緩くなり、結合強度が低下するので全体の結合強度が下がることになる。また、穴に挿入する長さより長い範囲にねじりを加える必要があり、穴に挿入しない部分もテーパー状になっているため段差が大きくなってしまうという問題がある。
【００１５】
本発明は、このような問題を解決し、簡単にｅＰＴＦＥのモノフィラメント縫合糸の端部に細径部を形成することができ、その結果、縫合糸と縫合針の径の差の少ない針付縫合糸と、その製造方法とを提供することを目的としている。
【課題を解決するための手段】
【００１６】
上記の目的を達成するために本発明の針付縫合糸は、先端と、該先端から徐々に太くなるテーパー部と、該テーパー部に続く胴部と、該胴部に続く基端部と、該基端部に形成され基端部の長さ方向に形成された糸保持部と、を有する縫合針と、該糸保持部に挿入され前記糸保持部の外側をかしめることで固定される縫合糸と、からなる針付縫合糸において、前記縫合糸がｅＰＴＦＥのモノフィラメントでフィブリル化した多孔質の素材からなり、前記糸保持部に挿入する部分が、該糸保持部に挿入しない部分であって縫合糸の径を有する縫合糸本体部分と比較して空隙率が小さい細径部の一部又は全部を含み、前記縫合糸本体部分と前記細径部の間に移行部を有するとともに、前記縫合針の基端部の基端面から前記縫合糸本体部分の径に至る部分の長さが前記縫合糸本体部分の径より小さいことを特徴としている。
【００１７】
前記細径部は、縫合糸本体部分の組織の流れと同じ状態、つまり、細径部が、空隙率が小さいことのみで縫合糸本体部分と相違しているだけで、捩られていたり、他の合成樹脂を含んだりしていない（塗布や含浸をしていない）状態となっていることが望ましい。
【００１８】
また、前記細径部が略直線状である構成や、前記縫合針の前記基端部の外径と、前記縫合糸の径とがほぼ同じである構成や、前記縫合針の基端部の基端面から前記縫合糸本体部分の径に至る部分の長さが前記縫合糸本体部分の径の半分以下である構成が望ましい。
【００１９】
上記の目的を達成するために本発明の針付縫合糸の製造方法は、縫合針の基端部に、基端部の長さ方向に沿って糸保持部を形成する工程と、ｅＰＴＦＥのモノフィラメントでフィブリル化して多孔質になっている縫合糸の端部の径方向に３以上の方向から同時に圧力を加えて細径部を形成する工程と、該細径部を前記糸保持部に挿入してかしめる工程とを有することを特徴としている。
前記細径部を形成する工程が、前記縫合糸の端部を中空部材の中空部に挿入し、該中空部を縮径させることとしても良い。
前記細径部を前記糸保持部に挿入してかしめる工程の後に、かしめられた縫合針と縫合糸との間に引張力を加えることとしても良い。
前記細径部は略直線状である構成や、前記縫合針の前記基端部の外径と、前記縫合糸の径とがほぼ同じである構成が望ましい。
【発明の効果】
【００２０】
本発明の針付縫合糸によれば、ｅＰＴＦＥを縫合糸として使用するので、生体組織との抵抗が小さくなり患者の負担を軽減することができる。また、生体組織との親和性に優れ、異物反応が少なく、毒性・発がん性の心配がない。さらに、縫合糸の、縫合針に形成された糸保持部に挿入する部分を細径部にするので、通常の縫合糸より太く縫合針の径に近い縫合糸を使用することができる。したがって、縫合する際の出血を少なくすることができる。また、縫合糸の径を有する縫合糸本体部分と細径部の間に移行部を有するとともに、前記縫合針の基端部の基端面から前記縫合糸本体部分の径に至る部分の長さが、縫合糸本体部分の径より小さいことにより、縫合する生体組織に対して十分に小さいため、移行部の少なくとも一部を含む、前記縫合針の基端部の基端面から前記縫合糸本体部分の径に至る部分の長さが大きい段差として影響することは無く、組織に損傷を与えにくい構成とすることができる。
【００２１】
また、細径部を、縫合糸本体部分の組織の流れと同じとすることができ、かしめたときに強固に接合することができる。また、細径部を略直線状の構成とすることができるので、穴の長手方向で均一に縫合糸を結合することができ、全体の結合強度を上げることができる。また、縫合針の径と縫合糸の径をほぼ同じにすることができるため、さらに効果的に出血を減少させることができる。また、前記細径部を前記糸保持部に挿入してかしめる工程の後に、かしめられた縫合針と縫合糸との間に引張力を加えることによって、縫合針と縫合糸の結合強度の試験を行うことができるとともに、前記縫合糸の移行部が引っ張られることにより若干膨張し、縫合糸本体部分の径とほぼ同じにすることができる。
【図面の簡単な説明】
【００２２】
【図１】本発明の縫合針の斜視図で、縫合糸を固定する前の状態を示す図である。
【図２】縫合針に縫合糸を固定した状態を示す斜視図である。
【図３】縫合糸の端部の拡大図で、（ａ）は細径部を作る前、（ｂ）は細径部を作った後の図、（ｃ）は縫合糸を縫合針にかしめて付け、縫合糸と縫合針との間に引張力を加えた後の状態を示す図である。
【図４】縫合糸の先端の細径にする部分に中空部材をはめた状態を示す図である。
【図５】４方向から同時に中空部材に半径方向の力を加える装置の構成例を示す図である。
【図６】図５の爪部分の拡大図である。
【図７】（ａ）〜（ｅ）は、細径部を形成する別の方法を説明する図である。
【発明を実施するための形態】
【００２３】
以下、本発明の実施の形態を、添付図面を参照して説明する。
図１は、本発明の縫合針の斜視図で、縫合糸を固定する前の状態を示す図である。図示の縫合針１０は、アイレス縫合針で、従来から公知の方法により製造されたものである。
【００２４】
図１に示すように、縫合針１０は基端部１１の一方の端部には基端面１１ａがあり、この基端面１１ａにレーザー加工法、電子ビーム加工法、放電加工法、ドリリング等の加工法によって基端部１１の長さ方向に延びる糸保持部１２として止まり穴が形成されている。止まり穴が形成された基端面１１ａの内面側及び／又は外面側には、図示しない面取部が形成されていても良い。内面側に面取部が形成されている場合には、縫合糸２０の細径部２０ａの径ｄ１より大きい、移行部２０ｂの一部も糸保持部１２へ挿入可能となる。また縫合針１０の先端には鋭利な針先１３が形成されており、この針先１３から徐々に径が太くなるテーパー部１４が形成されている。
【００２５】
テーパー部１４の基端部１１側は、基端部１１と同じ外径の胴部１５となっている。基端部１１はほぼ直線状であるが、胴部１５は湾曲していたり直線状であったりする。また、基端部１１は断面形状が円であるが、胴部１５の断面形状は円とは限らず、ほぼ平行な２平面を有する長円形状や、４平面を有するものや、鼓形状のものもある。
【００２６】
本発明のアイレス縫合針としては、図１に示すような丸針に限定されず、三角針や箆型針などの角針でもよい。また、先端は鋭利な針先に限定されず、鈍い針先でも良い。また、糸保持部は止まり穴でなく、長手方向に切れ目を設けたチャネル式接合部としても良い。
【００２７】
縫合糸２０としては、ｅＰＴＦＥの繊維（モノフィラメント）を使用している。ｅＰＴＦＥ繊維は、延伸されているので、フィブリル化しており、多孔質である。本発明のｅＰＴＦＥ繊維からなる縫合糸２０は、先端に略直線状の細径部２０ａを有する。本発明では特に、縫合糸２０の各部位を区別するため、細径部２０ａを形成していない部分であって縫合糸２０の径を有する部分を「縫合糸本体部分」とし、細径部２０ａと縫合糸本体部分との間に形成された部分を「移行部」２０ｂとしている。
【００２８】
図２は、縫合針１０に縫合糸２０を固定した状態を示す斜視図である。図３は、縫合糸の端部を拡大した図で、（ａ）は細径部ができる前の図、（ｂ）は細径部ができた後の図、（ｃ）は縫合糸を縫合針にかしめて付け、縫合糸と縫合針との間に引張力を加えた後の状態を示す図である。
【００２９】
図１に示す細径部２０ａを糸保持部１２に挿入し、糸保持部１２の外側の基端部１１をかしめることで、縫合糸２０を縫合針１０に固定する。細径部２０ａは全長を糸保持部１２に挿入することが好ましいが、必ずしも全長を挿入しなくても良い。細径部２０ａのうち糸保持部１２に挿入しない部分が若干残っていたとしても、移行部２０ｂが短いため段差に影響しにくいからである。このとき、縫合針１０の基端部１１の径Ｄと、縫合糸２０の径ｄとは、ほぼ等しくなっている。なお、基端部１１は、縫合糸の細径部２０ａを挿入してからかしめるので、かしめた後は真円ではない。そこで、ここでは基端部１１の径Ｄというときは、かしめによる変形を受ける前の径とする。
【００３０】
また、図示の実施例では、縫合針１０の基端部１１の径Ｄと、縫合糸２０の径ｄとは、ほぼ等しくなっているが、本発明は、これに限定されるものではない。従来は、糸保持部１２としての止まり穴の径は、針の基端部の径Ｄの５０％程度であるから、本発明の縫合糸２０の径ｄは、基端部の径Ｄの５０％以上であればよい。望ましい範囲としては、８０〜１００％である。
【００３１】
図４から図６は、細径部２０ａの形成方法を説明する図である。ｅＰＴＦＥのモノフィラメントは、上述したように、延伸しても細径部２０ａを形成することができない。そこで、本発明では、以下のようにして細径部２０ａを形成した。
【００３２】
まず、図４に示すように、ｅＰＴＦＥのモノフィラメントからなる縫合糸２０の先端の細径にする部分に柔軟な合成樹脂製の中空部材（チューブ）３０をはめる。この中空部材３０に３以上の方向から同時に半径方向の力を加えることで細径部２０ａを形成することができる。
【００３３】
図５は、４方向から同時に中空部材３０に半径方向の力を加える装置の構成例を示す図で、図６は図５の爪４１ａ部分の拡大図である。この装置は、独立した４つの爪４１ａを有する。各爪４１ａは、９０゜の角度で中心にある中空部材３０に四方から同時に圧力を加えることができる。
【００３４】
各爪４１ａは、それぞれ４つのアーム４１の各先端に取り付けられており、各アーム４１は、基端側の軸４１ｂにより、４つのアーム４２に回動自在に結合している。各アーム４２は、先端が固定軸４２ａに回動自在に結合し、基端はシリンダー４３のロッド４３ａと回動軸４２ｂにより結合している。アーム４１の先端近傍には引張バネ４４があり、各アーム４１を時計方向に付勢している。
【００３５】
以上の構成により、シリンダー４３のロッド４３ａが伸びると、アーム４２は先端の固定軸４２ａを中心に時計方向に回転する。これによってアーム４１は、中心に向かってｂ方向に移動するが、このとき、引張バネ４４によりａ方向（時計方向）にも移動する。４つのシリンダー４３のロッド４３ａが同時に伸びると、図６に示すように、各爪４１ａは、図のａ方向とこれに垂直なｂ方向の双方に同時に移動し、４つの爪４１ａ相互間の距離は小さくなって、中空部材３０に四方から同時に圧力を加える。各爪４１ａは、図６の実線に示す位置から仮想線に示す４１ａ'の位置まで移動する。４つの爪４１ａに囲まれた領域はＡからＡ'へと縮小され、中空部材３０内にある縫合糸２０は四方からの圧力を受けるので、押圧された部分が塑性変形し、その径が図３（ａ）のｄからだんだんと縮径されて小さくなり、図３（ｂ）に示す所望の径ｄ１に達する。このとき加圧をする中空部材３０で被う長さを決めることにより、細径部２０ａの長さＬ１を過不足なく設定することができる。また、図５、図６における爪４１ａの紙面と垂直な方向の長さは、縮径部２０ａの長さＬ１と同じか、大きくなっている。細径部２０ａが形成されたら、細径部２０ａの少なくとも一部を含む長さＬ３を糸保持部１２に挿入し、かしめると、針付縫合糸が完成する。
【００３６】
この間、縫合糸２０の加圧されている部分には、延伸力は加わらないので、多孔質の空隙率が上昇することはない。逆に、フィブリル化していた部分が、圧力により塑性変形してつぶされ、空隙率は低下していく。空隙率が低下し硬くなることによって、かしめたとき強固に接合できる。また、細径化する範囲（長さ）だけを細径化することができるので、無駄がないとともに、太径部から細径部２０ａに移行する移行部２０ｂの長さを小さくすることができる。この点、特許文献２のねじり変形による方法に比べ、加熱したり、引張弾性率を上げるための合成樹脂を塗布または含浸させたりする必要がなく、製造が簡単である。さらに、特許文献２では、縫合糸の縫合針との接続部にねじり変形によるテーパー部ができて移行部の長さが大きくなってしまう。本発明においても、縫合糸２０から細径部２０ａへの移行部２０ｂはテーパー状になっているが、縫合糸２０の直径方向に加圧するので、移行部２０ｂの長さＬ２は非常に短くなるのが特徴であり、この移行部２０ｂを少なくとも一部含む、縫合針１０の基端部１１の基端面１１ａから縫合糸本体部分の径ｄに至る部分の長さＬ４は、縫合糸２０の径ｄより短く、さらに径ｄの半分以下とすることも可能である。
【００３７】
この後、かしめられた縫合針１０と縫合糸２０とが離れるように、図示しない固定手段と重りなどの荷重付加手段によって引張力を加え、縫合針１０と縫合糸２０の結合強度の試験を行うことが好ましい。このとき、前記縫合糸２０の移行部２０ｂが引っ張られることによって若干膨張し、縫合糸本体部分の径ｄとほぼ同じにすることができる。この場合、図３（ｃ）に示すように、Ｌ４は０もしくは０に近い値となる。
【００３８】
さらに、細径部２０ａを形成するために縫合糸２０に直接接触して加圧する部材(中空部材３０または、縫合糸２０に半径方向の力を加える装置の４つの爪４１ａ等)の端部形状を調整することによって、移行部Ｌ２を０に近づけることも可能である。この場合も、図３（ｃ）に示すように、Ｌ４は０もしくは０に近い値となる。
【００３９】
縫合糸２０の細径化は、塑性変形に基づく縮径であるから、４つの爪４１ａが外れて、圧力が取り去られても、縫合糸２０の細径部２０ａは、元の径ｄに戻ることはなく、ｄ１のままとなる。また、細径部２０ａは、縫合糸２０に比べて空隙率が小さいことのみが相違しているだけで、捩られていたり、他の合成樹脂を含んだりしていない。この状態を、ここでは、細径部２０ａの組織が、本体部分の組織の流れと同じ状態と表現している。
【００４０】
ｅＰＴＦＥのモノフィラメントは、圧縮により、圧縮前の断面積（１００％）の３０％程度まで細径化できるが、勿論、７０〜８０％の細径化でも可能であり、使用状況などに応じてかなり広い範囲から選択できる。
【００４１】
なお、図５、図６に示す縮径方法では、細径化後の断面形状は四角になるはずであるが、実際には、爪４１ａと縫合糸２０との間に中空部材３０があるので、角部の丸くなった多角形、この実施例では四角の角部が丸くなった形状で、ほぼ円形に近い形状になる。ただし、縮径方法は、図５、図６に示す方法以外にも種々の方法があり、３方向以上から同時に押圧すればよく、断面形状はそれぞれの方法により決まるが、円形、楕円形、長円形等種々の形状にしてもよいが、糸保持部１２が穴の場合は、糸保持部１２の形状が円形なので、円形かこれに近い形状が望ましい。また、図示の実施例では中空部材３０を使用したが、中空部材３０を使用しなくても、若干四角張った細径部２０ａにはなるが、細径部２０ａを形成することができ、糸保持部１２に挿入してかしめることができる。
【００４２】
図７は、細径部２０ａを形成する別の方法を説明する図で（ａ）は縦断面図、（ｂ）は（ａ）のＡ−Ａ線断面図、（ｃ）は加圧状態を示す図、（ｄ）加圧直後の縫合糸の図、（ｅ）は先端を切り落として細径部が形成された縫合糸の図である。この方法は、縫合糸２０に気体又は液体によって圧力を加え、細径部２０ａを形成する方法である。
【００４３】
図７（ａ）、（ｂ）に示すように、縫合糸２０の先端部をチューブ３０に挿入し、チューブ３０の外側を鋼管などの剛性の高い管状材４０で囲う。管状材４０には１箇所気体又は液体の注入口４１がある。管状材４０の両端には、チューブ３０との間の気密を保つための封止材４２が設けられている。気密を保つために、チューブ３０と縫合糸２０は、管状材４０の先端から若干突出した状態とする。
【００４４】
図７（ａ）に示すように縫合糸２０の先端に管状材４０をセットしたら、注入口４１から高圧の気体又は液体を管状材４０とチューブ３０との間の空間４０ａに注入する。気体又は液体の圧力が高いと、管状材４０内のチューブ３０は３６０゜どの方向からも半径方向に圧縮され、図７（ｃ）に示すように、その径が細くなる。同時にチューブ３０内の縫合糸２０も縮径される。気圧又は液圧を調整することによって、縮径後の直径ｄ１の大きさを決めることができる。
【００４５】
こうして細径部２０ａが形成されたら、注入口４１を開けて空間４０ａの圧力を大気圧に戻し、縫合糸２０を引き出す。チューブ３０は元の形状に戻るが、縫合糸２０は縮径された状態のままである。チューブ３０を取り除くと、縫合糸２０は図７（ｄ）に示すように、先端に縮径されない部分２０ｃが残った状態となる。先端の部分２０ｃを、ｃの位置で切断し、図７（ｅ）に示すように、先端を細径部２０ａにする。この方法でも縫合糸２０の元の径ｄの部分とｄ１に縮径された細径部２０ａとの間にテーパー状の移行部２０ｂができるが、この移行部２０ｂを少なくとも一部含む、縫合針１０の基端部１１の基端面１１ａから縫合糸本体部分の径ｄに至る部分の長さＬ４も直径ｄを越えることはない。
【００４６】
尚、上記方法では、チューブ３０と縫合糸２０を、管状材４０の先端から若干突出した状態としたが、縫合糸２０は突出させないで、チューブ３０のみを突出させる構成としても良い。このとき、管状材４０に挿入する縫合糸２０の長さを所望の細径部２０ａの長さとすれば、縫合糸２０を切断する工程を省略することができる。
【００４７】
図７に示す気圧又は液圧で細径部２０ａを形成する場合は、チューブ３０は管状材４０との間で気密性を保つことができるように、通気性がなく、表面が平滑な素材を使用する。また、縫合糸２０の表面が多孔質であるため、チューブ３０を用いないと、気密を保持できないので、縮径することができない。
【符号の説明】
【００４８】
１０    縫合針
１１    基端部
１１ａ  基端面
１２    糸保持部
１３    針先
１４    テーパー部
２０    縫合糸
２０ａ  細径部
２０ｂ  移行部
【図１】
0005904783.tif 000002
【図２】
0005904783.tif 000003
【図３】
0005904783.tif 000004
【図４】
0005904783.tif 000005
【図５】
0005904783.tif 000006
【図６】
0005904783.tif 000007
【図７】
0005904783.tif 000008